(57)【要約】  【課題】  設置場所が変わった場合などに必ず変更するような設定内容を監視し、それらの情報が変更された場合、自動的にメモリー内にある文書情報を消去し、それらの情報が他人に漏れないようにしたファクシミリ装置を提供すること。  【解決手段】  ユーザが設置場所など設定を変更した場合（Ｓ１０）、文書を消去するような変更内容か否かを判断する（Ｓ１１）。この文書を消去するような変更の例として、自局番情報、回線情報(トーンかパルスかなど)、発信元情報などが該当する。そして、文書を消去するような変更をしていた場合、メモリーに残っている文書を全て消去する（Ｓ１２）。なお、文書消去の機能は、元々ファクシミリ装置自体に機能が備わっているので、それを利用すればよい。通常の処理と異なるのは、ユーザーへの確認なしで、全て消去するということである。【選択図】      図２
2005101686.tif 000002
【特許請求の範囲】
【請求項１】
送信するためのデータおよび受信したデータを記憶しておくメモリーと、
特定の設定内容が変更されたことを検出する変更検出手段と、
この変更検出手段により、特定の設定内容が変更された場合、前記メモリーに記憶されているデータを消去するデータ消去手段と、を備えたことを特徴とするファクシミリ装置。
【請求項２】
送信するためのデータおよび受信したデータを記憶しておくメモリーと、
ユーザーからユーザーコードの入力を受け付ける入力手段と、
この入力手段で受け付けたユーザーコードの正否を判断する判断手段と、
この判断手段で当該ユーザーコードが正との判断が出た場合、当該ユーザーの利用を許可する利用者制限手段と、
前記判断手段で当該ユーザーコードが否との判断が出た場合、前記メモリーに記憶されているデータを消去するデータ消去手段と、を備えたことを特徴とするファクシミリ装置。
【請求項３】
前記メモリーに記憶されているデータを出力する際、ユーザーからパスワードの入力を受け付けるパスワード入力手段と、
このパスワード入力手段で受け付けたパスワードの正否を判断するパスワード判断手段と、を備え、
このパスワード判断手段で当該パスワードが否との判断が出た場合、前記データ消去手段前記メモリーに記憶されているデータを消去することを特徴とする請求項１記載のファクシミリ装置。
【発明の詳細な説明】
【技術分野】
【０００１】
本発明は、ファクシミリ装置におけるメモリー内文書の自動消去機能(セキュリティ)に関する。
【背景技術】
【０００２】
一般的なファクシミリ装置には、文書の情報を保持しておくことができるメモリーが備わっている。これにより、受信時に用紙やトナーがない場合でも、そのメモリーに内容を記憶しておくことができる。また、度々送信する文書(送付状など)をそのメモリーに記憶しておき、必要なときに原稿を読み込ませる動作なしで、送信することができる。
しかしながら、メモリーに各種の情報を記憶しておくことは情報の漏洩に繋がるおそれがある。以下の特許文献１記載の技術は、ファクシミリ装置の各種情報の自動一括消去についてのものである。
【特許文献１】特開平１１−２３４４４７号
【０００３】
一方、ファクシミリ装置には、利用を許されたユーザーのみに機能の利用を許すような、利用者制限機能を備えたものが提供されている。この機能を有効にしておくことにより、当該ファクシミリ装置はユーザーアカウントを持ったユーザーにしか使えないようにすることができる。
【発明の開示】
【発明が解決しようとする課題】
【０００４】
上記したように、メモリーに記憶しておくことができるのは非常に便利であるが、ファクシミリ装置を他へ譲渡したりする場合、これらの内容をそのままにしておいてしまい、特に会社などで使っているファクシミリ装置でそのような状況になった場合、社外秘扱いの文書などが外部に漏れてしまう危険性がある。
また、セキュリティー確保のための利用者制限機能の備えたファクシミリ装置において、数桁の数値のユーザーコードを入力するだけのような利用者制限機能の場合は、ある程度適当にユーザーコードを何回か入力することによってログ・インできてしまう可能性がある。その場合、容易に他人がそのファクシミリ装置を利用できてしまう。
【０００５】
そこで、本発明の第１の目的は、設置場所が変わった場合などに必ず変更するような設定内容を監視し、それらの情報が変更された場合、自動的にメモリー内にある文書情報を消去し、それらの情報が他人に漏れないようにするファクシミリ装置を提供することである。
本発明の第２の目的は、利用者制限機能をＯＮしてある状態で、何度かユーザーコードの入力を間違えた場合、外部の人間が悪意を持ってログ・インしようと判断して、自動的にメモリー内にある文書情報を消去し、それらの情報が他人に漏れないようにするファクシミリ装置を提供することである。
本発明の第３の目的は、利用者制限機能を備えていないファクシミリ装置であっても、文書印刷時に必ずパスワードを問い合わせ、パスワードを数回間違えた場合は、自動的にメモリー内にある文書情報を消去し、それらの情報が他人に漏れないようにするファクシミリ装置を提供することである。
【課題を解決するための手段】
【０００６】
請求項１記載の発明では、ファクシミリ装置が、送信するためのデータおよび受信したデータを記憶しておくメモリーと、特定の設定内容が変更されたことを検出する変更検出手段と、この変更検出手段により、特定の設定内容が変更された場合、前記メモリーに記憶されているデータを消去するデータ消去手段と、を備えたことにより、前記第１の目的を達成する。
【０００７】
請求項２記載の発明では、ファクシミリ装置が、送信するためのデータおよび受信したデータを記憶しておくメモリーと、ユーザーからユーザーコードの入力を受け付ける入力手段と、この入力手段で受け付けたユーザーコードの正否を判断する判断手段と、この判断手段で当該ユーザーコードが正との判断が出た場合、当該ユーザーの利用を許可する利用者制限手段と、  前記判断手段で当該ユーザーコードが否との判断が出た場合、前記メモリーに記憶されているデータを消去するデータ消去手段と、を備えたことにより、前記第２の目的を達成する。
【０００８】
請求項３記載の発明では、請求項１記載の発明において、前記メモリーに記憶されているデータを出力する際、ユーザーからパスワードの入力を受け付けるパスワード入力手段と、このパスワード入力手段で受け付けたパスワードの正否を判断するパスワード判断手段と、を備え、このパスワード判断手段で当該パスワードが否との判断が出た場合、前記データ消去手段前記メモリーに記憶されているデータを消去することにより、前記第３の目的を達成する。
【発明の効果】
【０００９】
請求項１記載の発明では、設置場所が変わった場合などに必ず変更するような設定内容を監視し、それらの情報が変更された場合、自動的にメモリー内にある文書情報を消去するので、うっかりメモリー内に文書を記憶したまま、ファクシミリ装置を他へ譲渡した場合なども、それらの情報が他人に漏れないようにすることができる。
請求項２記載の発明では、利用者制限機能をＯＮしてある状態で、何度かユーザーコードの入力を間違えた場合、自動的にメモリー内にある文書情報を消去するので、外部の人間が悪意を持ってログ・インしようとした場合でも、文書情報が漏れないようにすることができる。
請求項３記載の発明では、利用者制限機能がないファクシミリ装置でも、文書印刷時に必ずパスワードを問い合わせ、パスワードを数回間違えた場合は、自動的にメモリー内にある文書情報を消去することによって、文書情報が他人に漏れないようにすることができる。
【発明を実施するための最良の形態】
【００１０】
以下、本発明の好適な実施の形態を、図１ないし図４を参照して詳細に説明する。
以下に、文書を蓄積可能なメモリー(画像メモリー)を具備したファクシミリ装置について説明する。
図１は、ファクシミリ装置の各処理部をブロックで示した構成図である。このファクシミリ装置には、原稿センサ１２、スキャナ１４、用紙センサ１６、プロッタ１８、ビデオメモリー２０、操作表示部２２、画像メモリー２４、バッテリ２６、パラメータメモリー２８、時計回路３０、通信制御部３２、モデム３４、網制御装置３６、符号化・復号化部３８、ＣＰＵ（中央演算処理装置）４０、ＲＯＭ（リード・オンリ・メモリー）４２、バッファメモリー４４およびキャラクタジェネレータ４６より構成されている。
このファクシミリ装置は、上記の構成を有し、各構成間でデータの送受信が可能である。これにより、ファクシミリ、コピー、プリンタ等として機能することができる。
用紙切れなどで印刷できない状態では、受信したデータを画像メモリー２４に保存しておくことが可能である。
なお、以下の制御はＲＯＭ４２の内容をもとに（ファクシミリ装置の）ＣＰＵ４０が行なう。
【００１１】
次に、第１の実施の形態の処理手順を図２のフローチャートを参照して説明する。
まず、ユーザが設置場所など設定を変更した場合（ステップ１０）、文書を消去するような変更内容か否かを判断する（ステップ１１）。この文書を消去するような変更の例として、自局番情報、回線情報(トーンかパルスかなど)、発信元情報などが該当する。
そして、文書を消去するような変更をしていた場合（ステップ１１；Ｙ）、メモリーに残っている文書を全て消去する（ステップ１２）。なお、文書消去の機能は、元々ファクシミリ装置自体に機能が備わっているので、それを利用すればよい。通常の処理と異なるのは、ユーザーへの確認なしで、全て消去するということである。
【００１２】
次に、第２の実施の形態の処理手順を図３のフローチャートを参照して説明する。
まず、利用者制限機能がＯＮになっているか否かを判断する（ステップ２０）。その結果、利用者制限機能がＯＮとなっていた場合（ステップ２０；Ｙ）、通常の利用者制限機能の動作に従い、ユーザーコードの入力を促す（ステップ２１）。
ユーザーコードが正しい場合は（ステップ２２；Ｙ）、利用者制限機能を解除し、通常の処理を許可する。一方、ユーザーコードの入力が誤っていた場合（ステップ２２；Ｎ）、入力可能規定回数を超えたかどうかを判断する（ステップ２３）。そして、入力可能規定回数を超えた場合は（ステップ２３；Ｙ）、メモリー内に残っている文書情報を全て消去する（ステップ２４）。この入力可能規定回数は、設定などで変更できるようにしておくことが望ましい。それにより、ユーザーコードが長ければ、単純に入力ミスによる間違いも多いと予想できるので、その際は回数を少し多めにするなどの工夫が可能になる。
【００１３】
次に、第３の実施の形態の処理手順を図４のフローチャートを参照して説明する。
メモリー内に保存された文書を印刷する際、パスワード入力を促す（ステップ３０）。
メモリー内に保存された文書を印刷する際とは、例えば、受信時に用紙切れなどで印刷されていない場合に、紙をセットしたときや、相手先に繋がらないため、次の発呼を待っている状態の文書を印刷するときなどである。なお、このパスワードは、設定などで変更できるようにしておく。セキュリティーの観点から、管理者以上の者しか変更できないようなメニューでのみ変更できるようにしておくことが望ましい。
そして、入力されたパスワードの適否を判断し（ステップ３１）、パスワードが正しかった場合は（ステップ３１；Ｙ）、通常通り当該文書を印刷する（ステップ３４）。
一方、パスワードが誤っていた場合（ステップ３１；Ｎ）、入力可能規定回数を超えたかどうかを判断する（ステップ３２）。そして、入力可能規定回数を超えた場合は（ステップ３２；Ｙ）、メモリー内に残っている文書情報を全て消去する（ステップ３３）。この入力可能規定回数は、設定などで変更できるようにしておくことが望ましいのは、第２の実施の形態と同様である。。
【図面の簡単な説明】
【００１４】
【図１】ファクシミリ装置の各処理部をブロックで示した構成図である。
【図２】第１の実施の形態の処理手順を示したフローチャートである。
【図３】第２の実施の形態の処理手順を示したフローチャートである。
【図４】第３の実施の形態の処理手順を示したフローチャートである。
【符号の説明】
【００１５】
１２  原稿センサ
１４  スキャナ
１６  用紙センサ
１８  プロッタ
２０  ビデオメモリー
２２  操作表示部
２４  画像メモリー
２６  バッテリ
２８  パラメータメモリー
３０  時計回路
３２  通信制御部
３４  モデム
３６  網制御装置
３８  符号化・復号化部
４０  ＣＰＵ（中央演算処理装置）
４２  ＲＯＭ（リード・オンリ・メモリー）
４４  バッファメモリー
４６  キャラクタジェネレータ
【図１】
2005101686.tif 000003
【図２】
2005101686.tif 000004
【図３】
2005101686.tif 000005
【図４】
2005101686.tif 000006